(57)【要約】【課題】近距離での画像取得を行うことができる近距離撮影システム及びその近距離撮影モジュールを提供する。【解決手段】本発明に係る近距離撮影モジュールは、物体の画像を取得できるように、電子装置における画像取得モジュールと互いに対応するように設けられ、液体レンズユニットと当該液体レンズユニットに電気的に接続される制御ユニットとを含む。制御ユニットは、画像取得モジュールから伝送された信号を受信すると共に、当該信号に基づいて、液体レンズユニットの焦点距離を制御する。本発明に係る近距離撮影システムは、画像取得モジュール、近距離撮影モジュール及び信号接続モジュールを含む。【選択図】図１
2017044798.tif 000002
【特許請求の範囲】
【請求項１】
物体の画像を取得できるように電子装置の画像取得モジュールと互いに対応するように設けられた近距離撮影モジュールであって、
液体レンズユニットと、
前記液体レンズユニットに電気的に接続される制御ユニットと、
を含み、
前記制御ユニットは、前記画像取得モジュールから伝送された信号を受信すると共に、前記信号に基づいて、前記液体レンズユニットの焦点距離を制御する、
ことを特徴とする近距離撮影モジュール。
【請求項２】
照明ユニットを更に含み、
前記照明ユニットのオン、オフ及び照明強度を制御することができるように、前記制御ユニットが前記照明ユニットに電気的に接続される、
ことを特徴とする請求項１に記載の近距離撮影モジュール。
【請求項３】
前記液体レンズユニットは、プリセットされた焦点範囲を有し、
前記液体レンズユニットが焦点距離を変調する方式は、シングル焦点距離変調、コンティニュアス焦点距離変調、所定範囲内での１回の焦点距離変調走査、又は所定範囲内でのコンティニュアス焦点距離変調走査であることを特徴とする請求項１に記載の近距離撮影モジュール。
【請求項４】
前記液体レンズユニットは、前記プリセットされた焦点範囲において、前記シングル焦点距離変調を行うことを特徴とする請求項３に記載の近距離撮影モジュール。
【請求項５】
前記液体レンズユニットは、前記プリセットされた焦点範囲において、前記コンティニュアス焦点距離変調を行うことを特徴とする請求項３に記載の近距離撮影モジュール。
【請求項６】
前記液体レンズユニットは、前記プリセットされた焦点範囲において、前記所定範囲内での１回の焦点距離変調走査を行うことを特徴とする請求項３に記載の近距離撮影モジュール。
【請求項７】
前記液体レンズユニットは、前記プリセットされた焦点範囲において、前記所定範囲内でのコンティニュアス焦点距離変調走査を行うことを特徴とする請求項３に記載の近距離撮影モジュール。
【請求項８】
電子装置に設けられた画像取得モジュールと、
前記電子装置に設けられると共に、前記画像取得モジュールと互いに対応するように設けられており、液体レンズユニットと前記液体レンズユニットに電気的に接続される制御ユニットとを含む近距離撮影モジュールと、
前記画像取得モジュールに電気的に接続される信号接続モジュールと、
を含み、
前記制御ユニットは、前記信号接続モジュールから伝送された信号を受信すると共に、受信した前記信号に基づいて、前記液体レンズユニットが変調走査する焦点距離を制御する、
ことを特徴とする近距離撮影システム。
【請求項９】
前記近距離撮影モジュールは、照明ユニットを含み、
前記照明ユニットのオン、オフ及び照明強度を制御することができるように、前記制御ユニットが前記照明ユニットに電気的に接続される、
ことを特徴とする請求項８に記載の近距離撮影システム。
【請求項１０】
前記近距離撮影モジュールに電気的に接続されており、前記液体レンズユニット、前記制御ユニット及び前記信号受信ユニットを駆動することができるように電気エネルギーを提供する電源モジュールを更に含むことを特徴とする請求項８に記載の近距離撮影システム。
【請求項１１】
前記電子装置に設けられた画像処理モジュールを更に含み、
前記信号接続モジュールが、前記画像処理モジュールから伝送された情報を受信できるように、前記画像処理モジュールに電気的に接続されていることを特徴とする請求項８に記載の近距離撮影システム。
【発明の詳細な説明】
【技術分野】
【０００１】
本発明は、画像取得システムに関し、特に、近距離撮影システム、即ち近距離撮影機能を有する画像取得システム、及びその近距離撮影モジュールに関する。
【背景技術】
【０００２】
科学技術の発展に伴い、例えばスマートフォン、タブレットＰＣといった現在の電子装置は、機能が益々多様化している。使用者は、モバイル装置によって、通話を行うことができるだけでなく、画像の取得を行うこともできる。更には、現在の趨勢として、ポータブル電子装置は、体積が益々軽薄短小化し、益々形態が容易となっている。そのため、消費者は一層、電子装置を用いて画像を取得する傾向にある。
【０００３】
しかしながら、上述した電子装置では、一般的にパッシブ方式のオートフォーカスを採用したものが多く、所定の被写界深度しか有していないため、一般的な情景の撮影にしか適用されず、近距離で物体表面の微細な構造を観察するには、ズーム倍率が不十分であるために近距離画像の取得ができなくなりやすい問題があった。また、近距離撮影（接写）する際に、レンズモジュール自体の特性により、ピントを正確且つはっきりと合わせることができない状況が起こりやすいという問題もあった。
【０００４】
これらの問題を解決するために、既存の技術では、マクロ撮影装置が開発されている。マクロ撮影装置は、任意に装着する方式で携帯電話等のモバイル電子装置の撮影レンズ前方に組み付けることが可能であり、これによって結像効果を増幅することができる。しかしながら、マクロ撮影装置は、主としてハウジング、光学レンズ及び固定焦点バレルから成り、依然としてパッシブ方式のオートフォーカスであり、その近距離撮影の効果は依然として限定的である。
【０００５】
従って、上述した欠点を解消できる近距離撮影システム及びその近距離撮影モジュールを如何にして提供するかが、当業者にとって解決すべき重要な課題となっている。
【発明の概要】
【発明が解決しようとする課題】
【０００６】
上述した状況に鑑み、本発明は、近距離での画像取得を行うことのできる、近距離撮影システム及びその近距離撮影モジュールを提供することを課題とする。
【課題を解決するための手段】
【０００７】
本発明に係る近距離撮影モジュールは、物体の画像を取得できるように、電子装置上の画像取得モジュールと互いに対応するように設けられており、液体レンズユニットと、当該液体レンズユニットに電気的に接続される制御ユニットとを含むことを特徴とする。制御ユニットは、画像取得モジュールから伝送された信号を受信すると共に、当該信号に基づいて、液体レンズユニットの焦点距離を制御する。
【０００８】
本発明に係る近距離撮影システムは、画像取得モジュール、近距離撮影モジュール及び信号接続モジュールを含む。画像取得モジュールは、電子装置に設けられる。距離撮影モジュールは、電子装置に設けられると共に、画像取得モジュールと互いに対応するように設けられる。近距離撮影モジュールは、液体レンズユニット及び制御ユニットを含む。制御ユニットは、液体レンズユニットに電気的に接続される。信号接続モジュールは、画像取得モジュールに電気的に接続される。制御ユニットは、信号接続モジュールから伝送された信号を受信すると共に、受信した信号に基づいて、液体レンズユニットが変調走査する焦点距離を制御する。
【発明の効果】
【０００９】
本発明に係る近距離撮影モジュールは、近距離撮影モジュール内の制御ユニットによって、画像取得モジュールから伝送された信号を受信することができると共に、当該信号に基づいて、液体レンズユニットの焦点距離を制御することができるため、近距離撮影機能を有しない又は近距離撮影機能の効果がよくない画像取得モジュールでも好ましい近距離撮影効果を達成することができる。
【００１０】
また、本発明に係る近距離撮影システムは、近距離撮影モジュールと電子装置に設けられた画像取得モジュールとが互いに対応するように設けられているため、同時に、近距離撮影モジュールと画像取得モジュールとの間の信号を伝送するための信号接続モジュールを介して、近距離撮影モジュール内に位置する液体レンズユニットの焦点距離を変調走査することを制御することができる。これにより、近距離においても、ピントが正確に合った鮮明な画面を取得することが可能である。
【図面の簡単な説明】
【００１１】
【図１】本発明の実施例に係る近距離撮影システムを示すモジュール構造図である。
【図２】本発明の実施例に係る近距離撮影システムを示す分解斜視図である。
【図３】本発明の実施例に係る近距離撮影システムの組み付け後の状態を示す斜視図である。
【図４】本発明の実施例に係る焦点面変調の原理を示す図である。
【発明を実施するための形態】
【００１２】
以下、特定の具体的な実施例により本発明に係る「近距離撮影システム及びその近距離撮影モジュール」の実施形態を説明する。当業者は、本明細書の記載内容により本発明のその他の利点や効果を容易に理解することができる。本発明は、その他の異なる具体的な実施例に基づいて実施又は応用することが可能であり、本明細書における細部についても、異なる観点及び応用により、本発明の主旨を逸脱しない範囲において種々の修正及び変更を施すことができる。また、本発明の図面は簡単に説明するためのものに過ぎず、実際の寸法に基づいて描画されたものではない。即ち、本発明の図面は、関連する構成の実際の寸法を反映させたものではない。以下に記載する実施形態において、本発明の関連技術内容を更に詳しく説明するが、当該実施形態は本発明の技術範囲を制限するものではない。
【００１３】
まず、図１乃至図３を用いて説明する。図１は、本発明の実施例に係る近距離撮影システムを示すモジュール構造図である。図２は、本発明の実施例に係る近距離撮影システムを示す分解斜視図である。図３は、本発明の実施例に係る近距離撮影システムの組み付け後の状態を示す斜視図である。本発明の実施例に係る近距離撮影システムＳは、主として画像取得モジュール１、近距離撮影モジュール２及び信号接続モジュール３を含む。画像取得モジュール１は、例えばスマートフォン、タブレットＰＣ、顕微鏡といった電子装置Ｃに設けることができる。換言すれば、画像取得モジュール１は、電子装置Ｃにおけるカメラモジュールであってもよい。例えば、画像取得モジュール１は、スマートフォン又はタブレットＰＣにおけるカメラモジュールであってもよい。但し、本発明はこれに限定されない。また、本発明はボイスコイルモータ（Ｖｏｉｃｅ  Ｃｏｉｌ  Ａｃｔｕａｔｏｒ／Ｖｏｉｃｅ  Ｃｏｉｌ  Ｍｏｔｏｒ）をアクチュエータとして採用する電子装置Ｃに特に適用される。
【００１４】
このように、近距離撮影モジュール２は、電子装置Ｃに設けることができると共に、画像取得モジュール１と互いに対応するように設けられる。例えば、近距離撮影モジュール２は、画像取得モジュール１の前端に設けられてもよい。例えば、近距離撮影モジュール２は、外付け式の形態により電子装置Ｃに挟持固定されてもよい。但し、本発明はこれに限定されない。換言すれば、近距離撮影モジュール２は、磁力による吸着、接着、係合又は螺合接続等の形態により電子装置Ｃに設けられてもよい。
【００１５】
次いで、近距離撮影モジュール２は、液体レンズユニット２１、制御ユニット２２及び信号受信ユニット２３を含んでもよい。制御ユニット２２は、液体レンズユニット２１を制御することができるように、液体レンズユニット２１に電気的に接続される。即ち、制御ユニット２２は、必要に応じて、液体レンズユニット２１の焦点距離を制御するよう液体レンズユニット２１に対してコマンドを送ることができる。また、制御ユニット２２は、信号受信ユニット２３からの情報を受信することができるように同時に信号受信ユニット２３にも電気的に接続されることで、液体レンズユニット２１を制御する。信号受信ユニット２３は、制御ユニット２２内に設けられてもよい。換言すれば、制御ユニット２２及び信号受信ユニット２３は、同一のモジュールユニットであってもよい。但し、本発明はこれに限定されない。近距離撮影モジュール２は、照明ユニット２４を更に含んでもよい。照明ユニット２４は、環状ライトであってもよく、近距離撮影モジュール２に設けられると共に、液体レンズユニット２１の周囲を囲繞する。また、制御ユニット２２は、照明ユニット２４のオン、オフ及び照明強度を制御することができるように、照明ユニット２４に電気的に接続される。この照明ユニット２４を設けたことにより、画像を撮影しようとする被写界深度内において好ましい光源を得ることができ、ひいては画像取得モジュール１がより鮮明な画像を取得できるようにすることができる。
【００１６】
次いで、信号接続モジュール３は、電子装置Ｃに設けることができる。信号接続モジュール３は、近距離撮影モジュール２と画像取得モジュール１との間の信号接続を行うことができるように、画像取得モジュール１に電気的に接続される。例えば、信号接続モジュール３は、ブルートゥース（ｂｌｕｅｔｏｏｔｈ）、赤外線モジュールといった無線通信モジュールであってもよい。また、信号接続モジュール３は、有線通信モジュールであってもよく、ケーブルを介して近距離撮影モジュール２内の信号受信ユニット２３に電気的に接続される。
【００１７】
好ましくは、近距離撮影システムＳは、電源モジュール５を更に含んでもよい。電源モジュール５は、近距離撮影モジュール２に電気的に接続されることにより、液体レンズユニット２１、制御ユニット２２及び信号受信ユニット２３を駆動するための電気エネルギーを提供することができる。例えば、近距離撮影モジュール２が信号接続モジュール３と有線方式で接続された場合、電源モジュール５は、電子装置Ｃ内に設けられた電池であってもよい。近距離撮影モジュール２が信号接続モジュール３と無線方式で接続された場合、電源モジュール５は、近距離撮影モジュール２に設けられた電池であってもよい。換言すれば、電池は、近距離撮影モジュール２における電子装置Ｃを挟持固定するための挟持固定部材（図示せず）に設けられてもよい。但し、本発明はこれに限定されない。
【００１８】
次いで、近距離撮影モジュール２における制御ユニット２２は、信号接続モジュール３から伝送された信号を信号受信ユニット２３を介して受信すると共に、その受信した信号に基づいて、液体レンズユニット２１が変調走査する焦点距離を制御することができる。換言すれば、本発明において、近距離撮影モジュール２は、主として焦点距離を調節するのに用いられる。従って、近距離撮影モジュール２内にはその他の画像取得素子は有していない。近距離撮影モジュール２は、主としてズームレンズの構造を有し、電子装置Ｃにおける画像取得モジュール１と組合せて使用される。液体レンズユニット２１は、プリセットされた焦点範囲を有してもよい。プリセットされた焦点範囲においては、複数のフォーカスエリアを設定できる。複数のフォーカスエリアとは、液体レンズユニット２１による変調の後、画像取得モジュール１が取得し得る範囲をいう。例えば、液体レンズユニット２１が変調走査する複数のフォーカスエリアは、それぞれ２〜２．５ｃｍ、２．５〜３ｃｍ、３〜４ｃｍ、４〜６ｃｍ等であってもよい。但し、本発明はこれに限定されず、液体レンズユニット２１自体の構成によるものとする。
【００１９】
次いで、図４も併せて用いることで説明する。図４は、本発明の実施例に係る焦点面変調の原理を示す図である。図における短い垂直線は焦点面を表し、上面の水平直線は被写界深度を表す。一般的に言って、焦点面が画像取得モジュール１に近いほどその被写界深度は浅くなり、焦点面が画像取得モジュール１から離れるほどその被写界深度は深くなる。素早くピントを合わせるために、本発明は液体レンズユニット２１を有する近距離撮影モジュール２を用いて焦点面を走査するメカニズムを採用している。即ち、遠くから近くまで又は近くから遠くまで異なる焦点面の画像を連続して取得し、適切な液体レンズユニット２１の変調量により、連続した画像が設定した撮影距離を含むことができるようにする。例えば、図４における被写界深度１であるＲ１は焦点距離が２ｃｍ時の被写界深度であり、被写界深度２であるＲ２は焦点距離が２．５ｃｍ時の被写界深度であり、被写界深度３であるＲ３は焦点距離が３．５ｃｍ時の被写界深度であり、被写界深度４であるＲ４は焦点距離が５ｃｍ時の被写界深度である。液体レンズユニット２１は、焦点距離の変調を遠くから近くまで又は近くから遠くまで行って、変調走査を行うことができる。また、液体レンズユニット２１の焦点面の調整時間が迅速であるため（＜１０ｍｓレベル）、画像の変調走査を素早く完了することができ、画像取得モジュール１も液体レンズユニット２１による変調走査のプロセスにおいて、連続画像を素早く取得することができる。
【００２０】
次いで、好ましくは、本発明に係る近距離撮影システムＳは、画像処理モジュール４を更に含んでもよい。画像処理モジュール４は、電子装置Ｃに設けられることができる。また、画像処理モジュール４から伝送された情報を受信することができるように、信号接続モジュール３が画像処理モジュール４に電気的に接続される。
【００２１】
詳述すると、画像処理モジュール４は、画像取得モジュール１が取得した、液体レンズユニット２１による変調走査プロセスにおける複数の異なる焦点距離の連続画像の中から、鮮明な画面を有する画像を選択して得ることができる。換言すれば、画像取得モジュール１が液体レンズユニット２１による変調走査プロセスにおけるそれぞれ異なる焦点距離に対応する複数の連続画像を取得し、画像処理モジュール４が画像取得モジュール１によって取得された複数の連続画像に基づいて、鮮明な画面を有する画像を獲得する。これにより、信号接続モジュール３が近距離撮影モジュール２と信号接続した場合、画像処理モジュール４は画像取得モジュール１が現在の液体レンズユニット２１によって変調された焦点距離において鮮明な画面を有する画像を取得したか否かを判別することができる。制御ユニット２２は、液体レンズユニット２１が遠くから近くまで又は近くから遠くまでの変調走査を行うよう制御することができる。また、液体レンズユニット２１の焦点面を素早く調整することができるため、画像の変調を素早く完了することができる。
【００２２】
また、他の実施形態において、液体レンズユニット２１が焦点距離を変調する方式は、シングル焦点距離変調、コンティニュアス焦点距離変調、所定範囲内での１回の焦点距離変調走査、又は所定範囲内でのコンティニュアス焦点距離変調走査であってもよい。換言すれば、液体レンズユニット２１は、制御ユニット２２から送られたコマンドによって、プリセットされた焦点範囲での複数のフォーカスエリアにおいてシングル焦点距離変調を行うことで、画像取得モジュール１の焦点距離を変更することができる。例えば、シングル焦点距離変調では、制御ユニット２２がコマンドを送り、所定の曲率となるように液体レンズユニット２１を駆動し、次いで、使用者が電子装置Ｃの位置を移動させることで画像の取得を行うことができる。また、液体レンズユニット２１は、制御ユニット２２から送られたコマンドにより、プリセットされた焦点範囲での複数のフォーカスエリアにおいてコンティニュアス焦点距離変調を行うことができ、これにより、制御ユニット２２から停止のコマンドが送られるまで、プリセットされた焦点範囲において連続して繰り返し画像取得モジュール１の焦点距離を変調することができる。例えば、コンティニュアス焦点距離変調では、制御ユニット２２が持続的にコマンドを送り、曲率を変更するよう液体レンズユニット２１を駆動することで、画像取得モジュール１の焦点距離を持続的に変更することができる。更に言えば、液体レンズユニット２１は、制御ユニット２２から送られたコマンドにより、プリセットされた焦点範囲での所定範囲内において、１回の焦点距離変調走査を行うことができる。即ち、液体レンズユニット２１は、その複数のフォーカスエリアのみを走査することができると共に、プリセットされた焦点範囲での所定範囲において１回の（シングルの）焦点距離変調を行うことができる。次いで、使用者が電子装置Ｃの位置を移動させることで画像の取得を行う。また、液体レンズユニット２１は、制御ユニット２２から送られたコマンドにより、プリセットされた焦点範囲での所定範囲内においてコンティニュアス焦点距離変調走査を行うことができる。即ち、制御ユニット２２は、画像取得モジュール１の画像変化に基づいて、液体レンズユニット２１に持続的にコマンドを送ることでその焦点距離の変調を行わせ、プリセットされた焦点範囲での所定範囲内において連続して繰り返し画像取得モジュール１の焦点距離を変調させることができる。これにより、画像取得モジュール１の焦点距離が持続的に変更される。また、他の実施形態において、液体レンズユニット２１がコンティニュアス焦点距離変調を行うプロセス、及び、液体レンズユニット２１がプリセットされた焦点範囲での所定範囲内においてコンティニュアス焦点距離変調走査を行うプロセスにおいて、連続して繰り返し焦点距離の変調を行うことができる。例えば、浅い被写界深度及び深い被写界深度の間で前後に変調することで、画像取得モジュール１の画像が正確な焦点距離を維持できるようにする。
【００２３】
次いで、画像取得モジュール１は、液体レンズユニット２１が焦点距離の変調走査を行うプロセスにおいて、同時に複数の異なる焦点面の焦点距離における連続画像を持続的に取得すると共に、取得された連続画像を同時に画像処理モジュール４に伝送することができる。また、画像取得モジュール１は、各異なる焦点面における画像を取得することができ、異なる焦点面の焦点距離における画像のうちのいくつかのみを取得することもできる。詳述すると、液体レンズユニット２１によって正確な物体の焦点距離に変調された場合、画像処理モジュール４は、画像取得モジュール１によって取得された画像が鮮明な画面を有するものとなり、鮮明な画面の存在する位置が正確な焦点距離を示すことを判断することができる。また、画像取得モジュール１は、前方に近距離撮影モジュール２が設けられた状況においてオートフォーカスを行うこともできる。
【００２４】
次いで、画像処理モジュール４は、画像取得モジュール１から伝送された複数の異なる焦点距離の連続画像の中から鮮明な画面を有する又はピントが正確に合った画像を１枚選択することができる。例えば、画像処理モジュール４は、レンズの解像力（Ｒｅｓｏｌｕｔｉｏｎ）の概念を利用して、変調伝達関数（Ｍｏｄｕｌａｔｉｏｎ  Ｔｒａｎｓｆｅｒ  Ｆｕｎｃｔｉｏｎ，ＭＴＦ）を画像鮮明度のアルゴリズムとして、画像のコントラスト（Ｃｏｎｔｒａｓｔ）及び鮮鋭度（Ｓｈａｒｐｎｅｓｓ）の数値を算出し、ひいてはどの距離における画像がピントが正確に合った画像であるか、そしてそのピントが正確に合った画像が鮮明な画面を有するものであることを判断することができる。換言すれば、画像取得モジュール１によって取得された異なる焦点距離の連続画像において、若し画像のへりの部分に著しい変化があった場合、隣接するピクセル間におけるグレースケール値の差値又は勾配が大きいほど取得された画像が鮮明な画面であることを意味している。こうした特性を利用して、画像取得モジュール１によって取得された連続画像を、画像処理モジュール４によって処理することで、判断基準となる鮮明度の数値情報を得ることができる。また、画像がぼやけている場合、画像における高周波信号が不十分であり、低周波数エネルギーが多いことに起因する可能性があるため、ハイパスフィルタの周波数領域又はフィルタリング方法によって、画像の高周波成分を求めた後、判断の根拠とすることができる。また、例えば、本発明に係る実施例において、画像処理モジュール４は、マイクロコントローラ（Ｍｉｃｒｏｃｏｎｔｒｏｌｌｅｒ  Ｕｎｉｔ，ＭＣＵ）であってもよく、又は中央演算処理装置（Ｃｅｎｔｒａｌ  Ｐｒｏｃｅｓｓｉｎｇ  Ｕｎｉｔ，ＣＰＵ）といった電子装置Ｃ内の演算ユニットであってもよい。但し、本発明はこれらに限定されない。また、画像処理モジュール４は、鮮明な画面であるかどうかを判断するプロセスにおいて、信号受信ユニット２３に信号を出力すると共に、制御ユニット２２が液体レンズユニット２１の焦点距離を遠く又は近くにするよう制御することによって、液体レンズユニット２１の曲率を調整することもできる。また、この工程において、画像取得モジュール１は、前方に近距離撮影モジュール２が設けられた状況においてオートフォーカスを行うこともできる。画像取得モジュール１によって画像が取得されるプロセスにおいて、画像処理モジュール４は、取得された鮮明な画面における物体の距離情報も同時に記録することができ、これによって鮮明な画面における各物体とレンズとの間の距離を判断することができる。
【００２５】
次いで、制御ユニット２２は、信号接続モジュール３が受信した情報に基づいて、持続的に画像取得モジュール１が鮮明な画面を有する画像を得るようにすることができる。換言すれば、電子装置Ｃを移動させた場合、制御ユニット２２は、液体レンズユニット２１が持続的にピントを合わせるようにすることができる。具体的には、液体レンズユニット２１による変調走査のプロセスにおいて、ピントが正確に合っている距離が必ず１つ存在するため、信号接続モジュール３が近距離撮影モジュール２と信号接続した場合、画像処理モジュール４は画像取得モジュール１が現在の液体レンズユニット２１によって変調された焦点距離において鮮明な画面を有する画像を取得したか否かを判別することができる。詳述すると、使用者が電子装置Ｃの位置を移動させた場合、鮮明な画面の焦点距離が変化する。この時、画像処理モジュール４は、現在の液体レンズユニット２１によって変調された焦点距離において、画像取得モジュール１が取得した画像が鮮明な画面を有するか否かを判断することができ、液体レンズユニット２１の現在の焦点距離において、鮮明な画面を有する画像がない場合、画像処理モジュール４は、信号接続モジュール３に情報を伝送することができ、信号接続モジュール３は受信した情報に基づいて、近距離撮影モジュール２における信号受信ユニット２３に信号を伝送することができる。次いで、制御ユニット２２は、信号受信ユニット２３が受信した信号に基づいて、液体レンズユニット２１による焦点距離の変調を制御する。換言すれば、制御ユニット２２は、画像処理モジュール４の情報に基づいて、液体レンズユニット２１が焦点距離を持続的に変調走査するよう制御することができる。即ち、上述したように、画像処理モジュール４は、コントラスト及び鮮鋭度の数値を利用して、画像が鮮明な画面を有するか否かを判断することができ、且つ現在の画像が鮮明な画面を有するか否かを持続的に判断することで、液体レンズユニット２１の焦点距離が持続的に調整されるようにすることができる。
【００２６】
また、画像処理モジュール４は、液体レンズユニット２１による焦点距離の変調において、焦点合成（Ｆｏｃｕｓ  Ｓｔａｃｋｉｎｇ）を行うことができるように、これら連続画像を同時に記録することができると共に、これらの焦点距離情報を記録することができる。但し、本発明はこれに限定されない。
【００２７】
＜実施例が奏し得る効果＞
このように、本発明は次の通りの効果を奏する。本発明に係る近距離撮影システムＳ及びその近距離撮影モジュール２によれば、近距離撮影モジュール２と電子装置Ｃに設けられた画像取得モジュール１とを互いに対応するように設けると共に、近距離撮影モジュール２と画像取得モジュール１との間の信号を伝送するための信号接続モジュール３を含むことによって、近距離撮影モジュール２内に位置する液体レンズユニット２１の焦点距離の変調走査を制御することができる。これにより、近距離であっても、ピントが正確に合っている鮮明な画面を取得することができる。
【００２８】
換言すれば、従来の電子装置Ｃでは所定の被写界深度の範囲があり、近距離撮影においてははっきりとピントを合わせることができないものが多かったのに対し、本発明に係る近距離撮影モジュール２によれば、電子装置の被写界深度の範囲を拡大することが可能である。
【００２９】
以上は本発明の好ましい実施例に過ぎず、これによって本発明の特許請求の範囲を限定するものではない。従って、本発明の明細書及び図面の内容に基づいて行われた等価の技術的変更は、いずれも本発明の保護範囲内に含まれる。
【符号の説明】
【００３０】
Ｓ    近距離撮影システム
１    画像取得モジュール
２    近距離撮影モジュール
２１    液体レンズユニット
２２    制御ユニット
２３    信号受信ユニット
２４    照明ユニット
３    信号接続モジュール
４    画像処理モジュール
５    電源モジュール
Ｒ１    被写界深度１
Ｒ２    被写界深度２
Ｒ３    被写界深度３
Ｒ４    被写界深度４
Ｃ    電子装置
【図１】
2017044798.tif 000003
【図２】
2017044798.tif 000004
【図３】
2017044798.tif 000005
【図４】
2017044798.tif 000006